(57)【特許請求の範囲】
【請求項１】
第2内容物が受容される容器本体(10)と、
前記容器本体(10)内部に形成されて、第1内容物が受容されて、上部分離キャップ(22)と下部固定キャップ(24)からなる第1内容物受容体(20)と、
前記容器本体(10)に回転可能に結合されるショルダー(30)と、
前記容器本体(10)に固定結合されて、螺旋溝(42)が形成された昇降案内部材(40)と、
前記ショルダー(30)の回転によって上昇されて、昇降突起(52)が形成された昇降部材(50)と、
前記昇降部材(50)と共に上昇されるポンプハウジング(60)と、
前記ポンプハウジング(60)と共に上昇されて、混合された第1、2の内容物をポンピングする排出ポンプ(70)と、
前記排出ポンプ(70)に上下移動可能に結合されて、吐出口(82)が形成された押しボタン(80)を含み、
前記第1内容物受容体(20)の上部分離キャップ(22)には第1連結管(222)が一体で形成されて、下部固定キャップ(24)には第2連結管(242)が一体で形成されて、前記第1連結管(222)に挿入され、
前記第1内容物受容体(20)の下部固定キャップ(24)には密閉リング(26)がデュアル射出又はインサート射出されて上部分離キャップ(22)の内周縁に密着されて、前記ポンプハウジング(60)下側には密閉部材(62)がデュアル射出又はインサート射出されて昇降案内部材(40)の内周縁に密着されることを特徴とする、生産性と密閉力が向上された異種内容物混合容器。
【請求項２】
前記容器本体(10)下側には下部キャップ(90)がさらに結合されて、前記下部キャップ(90)には吸入空間(92)が形成されることを特徴とする、請求項１に記載の生産性と密閉力が向上された異種内容物混合容器。
【請求項３】
前記容器本体(10)下段には貫通ホール(12)が形成されて、前記貫通ホール(12)に下部固定キャップ(24)が貫通されて固定されて、前記貫通ホール(12)と下部固定キャップ(24)との間には吸入空間流入口(14)が形成されることを特徴とする、請求項１に記載の生産性と密閉力が向上された異種内容物混合容器。
【請求項４】
前記昇降部材(50)内周縁には第１係止突輪(54)が形成されて、ポンプハウジング(60)の外周縁には第2係止突輪(64)が形成されて、前記ポンプハウジング(60)の内周縁には第３係止突輪(66)が形成されて、前記上部分離キャップ(22)の上部外周縁には第４係止突輪(226)が形成されることを特徴とする、請求項１に記載の生産性と密閉力が向上された異種内容物混合容器。
【請求項５】
前記密閉部材(62)は内部リング(622)と前記内部リング(622)の外側に延長形成された連結部(624)及び前記連結部(624)上側に延長形成され外部リング(626)を含み、前記内部リング(622)と外部リング(626)との間にポンプハウジング(60)の密閉部材結合部(61)が挿入されることを特徴とする、請求項１に記載の生産性と密閉力が向上された異種内容物混合容器。
【発明の詳細な説明】
【技術分野】
【０００１】
本発明は生産性と密閉力が向上された異種内容物混合容器に関し、より詳細には、混合容器外側に形成されたショルダーを回転させると、第1内容物受容体が上下に分離されながら異種の内容物が混合されると同時に、ポンプ上段に結合された押しボタンが混合容器上部に露出する異種内容物混合容器であって、前記第1内容物受容体を上部分離キャップと下部固定キャップで構成し、前記上部分離キャップと下部固定キャップにそれぞれ第1と2の連結管を一体で形成して、前記第1連結管に第2連結管を直接差し込んで内容物吸入通路を形成することによって、内容物吸入通路の組み立て工程が単純化されて製品生産性が向上された生産性と密閉力が向上された異種内容物混合容器に関する。
【背景技術】
【０００２】
一般的に、容器に受容される化粧品や医薬品のうち、効能や効果を倍加させるためにそれぞれ異なる二つ以上の内容物を混合して使う場合が多い。
【０００３】
しかし、上記のように混合使用される内容物を最初から混合して一つの容器に共に受け入れた後、流通又は保管することになると、容器内部で化学的反応が起きて内容物が凝固又は沈殿されて排出不良が生じる問題又は内容物が変色若しくは変質する問題が発生する。
【０００４】
これによって、従来には各々異なる内容物を各々分離された別々の容器に保管して、使用の時二つの容器の入口を各々開放して他の容器において混合して使ってきた。
【０００５】
しかし、上記の方法は使用に不便があるだけではなく、容器の紛失の虞があり、また、別々の容器に保管された内容物を一つの容器に投入する際に内容物が零れて周辺を汚染させる問題点があった。
【０００６】
したがって、最近では一つの容器に異種内容物を隔離保存して保管した後、必要に応じて使用者の操作によって混合して使える混合容器が多様な形態で開発又は使用されている。
【０００７】
上記のような従来の異種内容物混合容器は大韓民国登録実用新案第20-0270335号に開示されているところ、図1に示されたように、外装容器と、前記外装容器の上部に回転結合されて内容物を排出させる液排出部と、前記外装容器の底部に結合されて分離膜が備わった密封手段と、内側に収納空間が形成される内蔵容器を含み、前記外装容器の底部周りに下部カバーが上部に移動可能に装着されて、前記下部カバーの上部に切断可能なバージンが付着する構造である。
【０００８】
しかし、前記従来の異種内容物混合容器を使うためには先にバージンを除去した後、下部カバーに圧力を加えて分離膜を破壊した後、上部カバーを分離して、液排出部を押して使わなければならない不便なところがあった。
【０００９】
上記の問題を解決するために図2に図示した様に、本出願人は大韓民国登録実用新案第20-0475601号で、二種類の内容物を混合する化粧品容器を出願し登録されたことがある。
【００１０】
上記の従来技術は、内容物1を受容して上部分離キャップ1aと下部固定キャップ1bを含む第1内容物受容体1と、内容物2を受容する第2内容物容器本体2と、前記第2内容物容器本体下部には内容物1と内容物2が混合された混合内容物3の出口になる混合出口部4と、前記第1内容物受容体の上段部と結合されて、両側の案内突起が昇降案内管6の昇降螺旋溝とショルダー7の垂直溝に差し込まれるポンプ ハウジング5と、前記ポンプハウジング内部に結合されるエアレスポンプ8と、前記エアレスポンプの上側段に形成された押しボタン9とで構成される。
【００１１】
したがって、前記ショルダー7を回転させれば、第1内容物受容体1が上下に分離されながら、内容物1が第2内容物容器本体2に受容された内容物2と混合されると同時に押しボタン9が化粧品容器上部に突出される構造である。
【００１２】
しかし、上記従来技術はエアレスポンプ8下側に連結されながら上部分離キャップ1aを貫通して、下部固定キャップ1bに挿入されて混合内容物3の移動通路の役割をする排出観1cが追加で形成されているので、製品の組み立て工程が複雑になり、これに伴い、製品生産性が落ちる問題があった。
【００１３】
又、上記従来技術はポンプハウジング5と昇降案内管6の間に密閉構造が備わっていないため、内容物が前記ポンプハウジング5と昇降案内観6との間の隙間から漏れる問題があり、前記隙間にオーリングをさらに結合するとしてもポンプハウジング5がスライディング移動する時、オーリングが巻き上がる問題がある。
【００１４】
また、上記従来技術は第1内容物受容体1の密閉のために下部固定キャップ1bの一側にオーリング3を装着する構造なので前記下部固定キャップ1bにオーリング3を組み立てにくいため生産性が落ちて不良品が発生する問題がある。
【発明の概要】
【発明が解決しようとする課題】
【００１５】
本発明は上記のような問題を解決するために案出されたものであり、混合容器外側に形成されたショルダーを回転させれば第1内容物受容体が上下に分離されながら異種の内容物が混合されると同時にポンプ上段に結合された押しボタンが混合容器上部に露出する異種内容物混合容器であって、前記第1内容物受容体を上部分離キャップと下部固定キャップで構成し、前記上部分離キャップと下部固定キャップの各々にそれぞれ第1、2の連結管を一体で形成して、前記第1連結管に第2連結管を直接差し込んで内容物吸入通路を形成することによって、内容物吸入通路の組み立て工程が単純化されて製品生産性が向上された、生産性と密閉力が向上された異種内容物混合容器を提供するのに目的がある。
【００１６】
また、第1内容物受容体の下部固定キャップに密閉リングをデュアル射出又はインサート射出して上部分離キャップと密着させるようにして、ポンプハウジング下側に密閉部材をデュアル射出又はインサート射出して昇降案内部材の内周縁に密着させることによって、前記第1内容物受容体内部の密閉力が向上されて、前記ポンプハウジングと昇降案内部材との間の隙間から内容物が漏れることを防止する、生産性と密閉力が向上された異種内容物混合容器を提供することに目的がある。
【課題を解決するための手段】
【００１７】
本発明は第2内容物が受容される容器本体10と、
前記容器本体10内部に形成されて第1内容物が受容されて上部分離キャップ22と下部固定キャップ24からなる第1内容物受容体20と、
前記容器本体10に回転可能に結合されるショルダー30と、
前記容器本体10に固定結合されて、螺旋溝42が形成された昇降案内部材40と、
前記ショルダー30の回転によって上昇され、昇降突起52が形成された昇降部材50と、
前記昇降部材50と共に上昇されるポンプハウジング60と、
前記ポンプハウジング60と共に上昇され、混合された第1内容物と第2内容物をポンピングする排出ポンプ70と、
前記排出ポンプ7に上下移動可能に結合され、吐出口82が形成された押しボタン80を含み、
前記第1内容物受容体20の上部分離キャップ22には第1連結管222が一体で形成されて、下部固定キャップ24には第2連結管242が一体で形成されて前記第1連結管222に挿入されて、
前記第1内容物受容体20の下部固定キャップ24には密閉リング6がデュアル射出又はインサート射出されて上部分離キャップ22の内周縁に密着して、ポンプハウジング60下側には密閉部材62がデュアル射出又はインサート射出されて昇降案内部材40内周縁に密着することを特徴とする、生産性と密閉力が向上された異種内容物混合容器を提供する。
【００１８】
また、前記容器本体10下側には下部キャップ90がさらに結合されて、前記下部キャップ90には吸入空間92が形成されることを特徴とする。
【００１９】
また、前記容器本体10下段には貫通ホール12が形成されて、前記貫通ホール12に下部固定キャップ24が貫通されて固定され、前記貫通ホール12と下部固定キャップ24の間には吸入空間流入口14が形成されることを特徴とする。
【００２０】
また、前記昇降部材50の内周縁には第１係止突輪54が形成されて、ポンプハウジング60外周縁には第2係止突輪64が形成されることを特徴とする。
【００２１】
また、前記ポンプハウジング60内周縁には第3係止突輪66が形成されて、上部分離キャップ22の上部外周縁には第4係止突輪226が形成されることを特徴とする。
【発明の効果】
【００２２】
本発明による生産性と密閉力が向上された異種内容物混合容器は、第1内容物受容体を上部分離キャップと下部固定キャップとで構成し、前記上部分離キャップと下部固定キャップにそれぞれ第1、2連結管を一体で形成して、前記第1連結管に第2連結管を直接差し込んで内容物吸入通路を形成することによって、内容物吸入通路の組み立て工程が単純化されて製品生産性が向上する効果がある。
【００２３】
また、本発明による生産性と密閉力が向上された異種内容物混合容器は第1内容物受容体の下部固定キャップに密閉リングをデュアル射出またはインサート射出して上部分離キャップと密着するようにして、ポンプハウジング下側に密閉部材をデュアル射出またはインサート射出して昇降案内部材内周縁に密着させることによって、前記第1内容物受容体の内部の密閉力が向上して、前記ポンプハウジングと昇降案内部材の間の隙間から内容物が漏れることを防止する効果がある。
【図面の簡単な説明】
【００２４】
【図１】従来の異種内容物混合容器である。
【図２】従来の二つの内容物を混合する化粧品容器である。
【図３】本発明に係る生産性と密閉力が向上された異種内容物の混合容器の斜視図である。
【図４】本発明に係る生産性と密閉力が向上された異種内容物の混合容器の分解斜視図である。
【図５】本発明に係る生産性と密閉力が向上された異種内容物の混合容器の断面図である。
【図６】本発明に係る生産性と密閉力が向上された異種内容物の混合容器のショルダーを回転させて異種内容物を混合させると同時に押しボタンを出没させる様子を示す断面図である。
【図７】本発明に係る生産性と密閉力が向上された異種内容物の混合容器の押しボタンを押して、混合された内容物を排出させる様子を示す断面図である。
【図８】本発明に係る生産性と密閉力が向上された異種内容物の混合容器の押しボタンが上昇されながら混合された内容を吸引する様子を示す断面図である。
【発明を実施するための形態】
【００２５】
以下、本発明に係る生産性と密閉力が向上された異種内容物混合容器の一実施例を添付された図面を参照して説明すれば次の通りである。
【００２６】
図3は本発明に係る生産性と密閉力が向上された異種内容物混合容器の斜視図であり、図4は本発明に係る生産性と密閉力が向上された異種内容物混合容器の分解斜視図であり、図5は本発明に係る生産性と密閉力が向上された異種内容物混合容器の断面図である。
【００２７】
本発明に係る生産性と密閉力が向上された異種内容物混合容器は、第2内容物が受容される容器本体10と、前記容器本体10内部に形成されて、第1内容物が受容されて上部分離キャップ22と下部固定キャップ24からなる第1内容物受容体20と、前記容器本体10に回転可能に結びつくショルダー30と、前記容器本体10に固定結合されて螺旋溝42が形成された昇降案内部材40と、前記ショルダー30の回転によって上昇されて、昇降突起52が形成された昇降部材50と、前記昇降部材50とともに上昇されるポンプハウジング60と、前記ポンプハウジング60と共に上昇されて、混合された第1内容物と2内容物をポンピングする排出ポンプ70と、前記排出ポンプ70に上下移動可能に結合されて吐出口82が形成された押しボタン80とを含んで構成される。
【００２８】
前記容器本体10の内部には第2内容物が受容されて、上部には昇降案内部材40が結合される結合ホール15が形成される。
【００２９】
前記容器本体10の下部外周縁には第1締結突起16が形成されて、前記第1締結突起16下側には多数の回転防止溝17が形成される。
【００３０】
前記容器本体10の下段には下部延長部18が下側に延長形成されて、前記下部延長部18内側には貫通ホール12が形成されて、前記貫通ホール12には下部固定キャップ24が貫通されて固定される。
【００３１】
前記貫通ホール12の内周縁には多数の貫通ホール突起122が形成される。前記貫通ホール突起122は貫通ホール12の内側方向に突出形成されて、前記多数の貫通ホール突起122の間には第1内容物と第2内容物が混合されて流入される吸入空間流入口14が形成される。
【００３２】
前記容器本体10の下側には容器本体10の下部を閉じる下部キャップ90がさらに結合できる。
【００３３】
前記下部キャップ90の上部内周縁には第2締結突起96が形成されて前記容器本体10の第1締結突起16とアンダーカット結合される。
【００３４】
前記第2締結突起96下側には下部キャップ90が容器本体10から空回りしないように保持する多数の回転防止突起97が形成されて、前記回転防止突起97は容器本体10の回転防止溝17に挿入される。
【００３５】
前記下部キャップ90の内側には上部延長部98が上側に延長形成されて前記上部延長部98の内側に容器本体10の下部延長部18が差し込まれる。
【００３６】
前記上部延長部98の内側には吸入空間92が形成され、前記吸入空間92には容器本体10内部で混合された第1内容物と第2内容物が排出ポンプ70によりポンピングされる前に臨時保存される。
【００３７】
前記吸入空間92には吸入空間92の気密維持のために弾性材質の気密リング95がさらに形成できる。前記気密リング95の外周縁は下部キャップ90の上部延長部98の内周縁に密着されて、上部面は容器本体10の下部延長部18下段に密着される。
【００３８】
前記第1内容物受容体20は容器本体10内部に形成されて、内側に第1内容物が受容される。
【００３９】
前記第1内容物受容体20は上部分離キャップ22と下部固定キャップ24からなり、前記上部分離キャップ22と下部固定キャップ24は結合されているが、最初使用の時分離されながら前記第1内容物受容体20の内部に受容された第1内容物が容器本体10に受容された第2内容物と混ざり合うようになる。
【００４０】
前記上部分離キャップ22はポンプハウジング60に結合されてショルダー30が回転する時、前記ポンプハウジング60と共に上部に移動する。
【００４１】
前記上部分離キャップ22の上部外周縁には多数の第4係止突輪226が形成されて、前記第4係止突輪226の下側には上部に凸状の半球形態の上部受容体224が形成されて、前記上部受容体224の内部中央には第1連結管222が下側に延長形成される。
【００４２】
前記下部固定キャップ24は容器本体10の貫通ホール12を貫通して固定される。
【００４３】
前記下部固定キャップ24の下部外周縁には容器本体10の貫通ホール突起122が挿入される固定溝246が形成されて、上側には上部に凹状の半球形態の下部受容体244が形成されて、前記下部受容体244の内部中央には第2連結管242が上側に延長形成される。
【００４４】
前記下部固定キャップ24の下部受容体244上部には弾性材質の密閉リング26がデュアル射出又はインサート射出されて上部分離キャップ22の上部受容体224の内周縁に密着される。
【００４５】
したがって、前記上部分離キャップ22と下部固定キャップ24から構成された第1内容物受容体20の密閉力と生産性が向上される。
【００４６】
すなわち、従来技術は図2に示したように、下部固定キャップ24にオーリング3が結合される構造なので、前記下部固定キャップ24にオーリング3を差し込むための組み立て工程が容易ではなくて頻繁に不良品が発生され、そのため製品生産性が落ちる。その反面、本発明は下部固定キャップ24に密閉リング26をデュアル射出又はインサート射出することによって、前記密閉リング26の組み立て工程が省略されて製品生産性が向上させて、密閉リング6が下部固定キャップ24と一体にデュアル射出又はインサート射出されて密閉力も向上させるものである。
【００４７】
また、前記第1内容物受容体20の上部分離キャップ22には第1連結管222が一体に形成されて、下部固定キャップ24には第2連結管242が一体に形成されて前記第1連結管222の下側に挿入される。
【００４８】
すなわち、従来技術は図2に図示するように、エアレスポンプ8の下側に連結されながら上部分離キャップ1aを貫通して、下部固定キャップ1bに挿入されて混合内容物3の移動通路の役割をする排出観1cが追加で形成されているので、製品の組み立て工程が複雑になり、これに伴い、製品生産性が落ちる問題が生じた。
【００４９】
したがって、本発明の混合容器はこれらの問題を改善するために、上部分離キャップ22と下部固定キャップ24に各々第1連結管222、第２連結管242を一体に形成して、前記第1連結管222の下部に第2連結管242を直接差し込んで内容物吸入通路28を形成することによって、前記の内容物吸入通路28の組み立て工程を従来技術より相対的に単純化して製品の生産性を向上させた。
【００５０】
前記ショルダー30は容器本体10の上部に回転可能に結合されて、昇降部材50を回転させる役割をする。
【００５１】
前記ショルダー30の内周縁には昇降部材50の昇降突起52が挿入される垂直案内溝32と、ショルダー30が昇降案内部材40の上部に抜けないように保持する第1離脱防止突輪34が形成される。
【００５２】
前記ショルダー30の上部一側には押しボタン80の吐出口82が挿入される吐出口挿入溝36が形成される。
【００５３】
前記昇降案内部材40は容器本体10の上部に固定結合されて、昇降部材50が回転しながら上昇されるようにする。
【００５４】
前記昇降案内部材40の外周縁には昇降案内部材40が容器本体10の内側に抜けないように容器本体10の上段に乗せられる安着突輪41が突出形成される。
【００５５】
前記安着突輪41の上部には昇降部材50の昇降突起52が挿入される螺旋溝42が形成されて、前記螺旋溝42の上部にはショルダー30の第１離脱防止突輪34が係止される第2離脱防止突輪44が形成される。
【００５６】
前記安着突輪41の下部には容器本体10の結合ホール15に挿入される結合突起45が形成され、前記結合突起45は昇降案内部材40が容器本体10から抜け出されないように又は空回りしないように固定させる。
【００５７】
前記昇降部材50は昇降案内部材40の内側に形成されて、前記ショルダー30とともに回転しながら上昇される。
【００５８】
前記昇降部材50の外周縁には昇降突起52が形成され、前記昇降突起52は昇降案内部材40の螺旋溝42に挿入されてショルダー30に回転によってスライディングされながら上部に移動される。
【００５９】
前記昇降部材50の内周縁には昇降部材50が上昇される時、ポンプハウジング60を共に引き上げる第１係止突輪54が形成されて、前記第１係止突輪54の上側には排出ポンプ70を固定させる第1固定突輪56が内側に突出形成される。
【００６０】
前記ポンプハウジング60は昇降部材50の内側に形成されて、前記昇降部材50とともに昇降される。
【００６１】
前記ポンプハウジング60の外周縁には昇降部材50の第１係止突輪54に係止される第2係止突輪64が形成されて、下部内周縁にはポンプハウジング60が上昇される時、上部分離キャップ22の第4係止突輪226に係止されて前記上部分離キャップ22を共に引き上げる第3係止突輪66が内側に突出形成される。
【００６２】
前記ポンプハウジング60の下部外周には密閉部材結合部61が下側に延長形成されて、前記密閉部材結合部61には弾性材質の密閉部材62が前記密閉部材結合部61を包みながらデュアル射出又はインサート射出されて昇降案内部材40内周縁に密着される。
【００６３】
すなわち、前記密閉部材62は容器本体10が倒れるかひっくり返された場合、ポンプハウジング60と昇降案内部材40の間の隙間から内容物が漏れることを防止する。
【００６４】
前記密閉部材62はリング形態に形成され、内部リング622と前記内部リング622の外側に延長形成された連結部624及び前記連結部624の上側に延長形成された外部リング626から構成される。
【００６５】
前記密閉部材62の内部リング622と外部リング626の間にはポンプハウジング60の密閉部材結合部61が挿入される。
【００６６】
前記外部リング626の内周縁には付着突輪626aが多数形成されて、前記密閉部材結合部61の外周縁には前記付着突輪626aと対応する位置に付着溝61aが形成される。
【００６７】
前記密閉部材62の外部リング626の外周縁には密閉突輪626bが形成されて昇降案内部材40の下部内周縁に密着する。
【００６８】
前記密閉部材62、密閉リング6及び気密リング95は弾性材質で形成される。特に天然ゴム（natural rubber）、 エラストマー（elastomer）、シリコーンゴム（silicone rubber）及びNBRゴム（acrylonitrile-butadiene rubber）のうち、何れかの一つ以上の材質、PP（polypropylene）またはPE（polyethylene）材質で構成されることが望ましい。
【００６９】
前記排出ポンプ70はポンプハウジング60の内側に設置されて、前記ポンプハウジング60と共に昇降されて、容器本体10の内部で混合された第1内容物と第2内容物をポンピングする。
【００７０】
前記排出ポンプ70は上部分離キャップ22の上部に結合される同時にポンプハウジング60の上段に安着されて、下部に内容物吸孔78が形成されたシリンダー71と、前記の内容物吸孔78を選択的に開閉するチェックバルブ72と、前記シリンダー71の上部に結合されてシリンダー71の内部を密閉させる密閉部材73と、前記シリンダー71内側に形成されるピストン74と、前記ピストン74の外側に差し込まれてシリンダー71の内側面に密着するピストンリング75と、前記ピストン74の上部に結合される上下移動部材76及び上下移動部材76を弾力支持する弾性部材77で構成される。
【００７１】
前記排出ポンプ70のシリンダー71の上部外周縁には昇降部材50の第1固定突輪56に押さえられて固定される第2固定突輪716が形成される。
【００７２】
また、前記シリンダー71の第2固定突輪716とポンプハウジング60の上段との間にはポンプ 密閉リング79がさらに形成されることができる。
【００７３】
前記押しボタン80は排出ポンプ70の上部に上下移動可能に結合される。
【００７４】
前記押しボタン80の一側には排出ポンプ70によりポンピングされた内容物を外部に排出させる吐出口82が形成される。
【００７５】
前記押しボタン80の内側にはポンプ結合部84が下側に延長形成されて排出ポンプ70の上下移動部材76と結合されて、前記ポンプ結合部84の内部には内容物吐出通路86が形成される。
【００７６】
本発明の一実施例に係る生産性と密閉力が向上された異種内容物混合容器の組み立て方法を詳細に説明すれば次の通りである。
【００７７】
本発明に係る生産性と密閉力が向上された異種内容物混合容器を組み立てるためには、先ず図4と図5に図示したように、下部キャップ90の上部延長部98の内側に気密リング95を差し込んで、前記下部キャップ90を容器本体10の下側に結合した後、前記容器本体10内部に第2内容物を充填する。
【００７８】
前記下部キャップ90を容器本体10に結合する時には前記下部キャップ90の回転防止突起97が容器本体10の回転防止溝17に挿入されるようにしながら容器本体10の第1締結突起16と下部キャップ90の第2締結突起96がアンダーカット結合されるようにする。
【００７９】
続いて、第1内容物受容体20の内部に第1内容物を充填するが、前記第1内容物受容体20の上部分離キャップ22をひっくり返して前記上部分離キャップ22の上部受容体224の内側に第1内容物を充填して、前記上部分離キャップ22に下部固定キャップ24を結合する。
【００８０】
この時、前記下部固定キャップ24の下部受容体244の上部には密閉リング26がデュアル射出又はインサート射出されて上部固定キャップ22の上部受容体224の内周縁に密着される。
【００８１】
続いて、前記第1内容物受容体20をポンプハウジング60の下側に差し込み、前記第1内容物受容体20の第4係止突輪226がポンプハウジング60の第3係止突輪66を乗り越えるようにする。
【００８２】
その後、前記ポンプハウジング60の内部に排出ポンプ70を設置して、前記ポンプハウジング60を昇降案内部材40下側に挿入する。
【００８３】
この時、前記ポンプハウジング60の密閉部材結合部61には密閉部材62がデュアル射出またはインサート射出されて前記昇降案内部材40の内周縁に密着される。
【００８４】
次に、前記昇降案内部材40とポンプハウジング60の間に昇降部材50を挿入させながら、前記昇降部材50をポンプハウジング60に結合させるが、前記昇降部材50の昇降突起52が昇降案内部材40の螺旋溝42に挿入されるようにして、昇降部材50の第１係止突輪54がポンプハウジング60の第2係止突輪64を乗り越えるようにして、昇降部材50の第1固定突輪56が排出ポンプ70の第2固定突輪716の上段を押して固定させるようにする。
【００８５】
その後、前記の通りに組み立てられた昇降案内部材40を容器本体10上部に結合するが、前記昇降案内部材40の結合突起45が容器本体10の結合ホール15に結合されるようにすると同時に昇降案内部材40の安着突輪41が容器本体10の上段に安着するようにする。
【００８６】
また、前記下部固定キャップ24の下側が容器本体10の貫通ホール12を貫通するようにしながら前記貫通ホール12の貫通ホール突起122が下部固定キャップ24の固定溝246に差し込まれるようにして、混合された第1,2内容物を下部キャップ90の吸入空間92に流入させる流入口14を形成する。
【００８７】
続いて、前記昇降案内部材40の上側にショルダー30を結合し、昇降部材50の昇降突起52がショルダー30の垂直案内溝32に挿入されて、前記ショルダー30の第１離脱防止突輪34が昇降案内部材40の第2離脱防止突輪44を乗り越えるようにする。
【００８８】
最後に、前記ショルダー30の上部に押しボタン80を結合するが、前記押しボタン80のポンプ結合部84が排出ポンプ70の上下移動部材76と結合されるようにして、吐出口82がショルダー30の吐出口挿入溝36に挿入されるようにすることによって、本発明に係る生産性と密閉力が向上された異種内容物混合容器の組み立てを完了する。
【００８９】
前記の通りに組み立てられた生産性と密閉力が向上された異種内容物混合容器の使用方法を、図面を参照して詳しく説明すれば次の通りである。
【００９０】
図6は本発明に係る生産性と密閉力が向上された異種内容物混合容器のショルダーを回転させて異種内容物を混合させると同時に押しボタンを出没させる様子を示す断面図で、図7は本発明に係る生産性と密閉力が向上された異種内容物混合容器の押しボタンを押して混合された内容物を排出させる様子を示す断面図であり、図8は本発明に係る生産性と密閉力が向上された異種内容物混合容器の押しボタンが上昇されながら混合された内容物を吸入する様子を示す断面図である。
【００９１】
本発明に係る生産性と密閉力が向上された異種内容物混合容器を使うためには先ず一方の手で容器本体10を保持し、他方の手でショルダー30を時計反対方向に回転させる。
【００９２】
前記ショルダー30が時計反対方向に回転すれば、図6に示すように前記ショルダー30とともに昇降部材50が回転されるが、この時、前記昇降部材50の昇降突起52が昇降案内部材40の螺旋溝42に挿入された状態でスライディングしながら上部に移動する。
【００９３】
前記の通りに昇降部材50が上昇されれば、前記昇降部材50の第１係止突輪54がポンプハウジング60の第2係止突輪64を引き上げて、これと同時にポンプハウジング60の第3係止突輪66が上部分離キャップ22の第4係止突輪226を引き上げてポンプハウジング60と排出ポンプ70及び上部分離キャップ22が昇降部材50とともに上昇される。
【００９４】
この際、前記下部固定キャップ24は容器本体10の貫通ホール突起122により固定されているので前記上部分離キャップ22と下部固定キャップ24が分離されながら前記第1内容物受容体20の内部に受容された第1内容物が容器本体10内部に受容された第2内容物と混合される。
【００９５】
その後、図7に示すように押しボタン80を押せば、押しボタン80が下側に移動しながら前記押しボタン80の下部に結合された排出ポンプ70の上下移動部材76とピストン74が共に下側に移動する。
【００９６】
この時、排出ポンプ70のピストンリング75はシリンダー71の内側面に密着しているので前記ピストン74のみが下側に移動しながらピストン74とピストンリング75の間に隙間が生じて、内容物の吐出通路が出来上がる。
【００９７】
その後、ずっと押しボタン80を押せば前記上下移動部材76の下段がピストンリング75を押して前記ピストンリング75がピストン74と共に下側に移動されながらシリンダー71内部の体積が減ることになって、これに伴い、シリンダー71内部の吐出圧力によってチェックバルブ72が内容物吸入工孔78を閉鎖させると同時にシリンダー71内部に受容されていた内容物がピストン74とピストンリング75との間から漏れて前記押しボタン80の内容物吐出通路86を通過した後吐出口82に吐出される。
【００９８】
図8に示すように、押しボタン80の加圧を解除すれば前記押しボタン80を弾力支持する弾性部材77の弾性によって押しボタン80が上側に移動し、前記押しボタン80の下側に結合されている上下移動部材76とピストン74も上側に移動するようになる。この際、前記ピストン74の外側下段に形成された拡張突輪741がピストンリング75を上に引き上げることにつれてピストン74とピストンリング75との間の隙間が埋まりながら前記ピストン74とピストンリング75とが共に上側に移動することになって、これに伴い、シリンダー71内部の体積が大きくなって真空圧が発生することになる。
【００９９】
以後、前記シリンダー71内部に発生した真空圧によりチェックバルブ72が持ち上げられながらシリンダー71の底面に形成された内容物吸孔78を開放して、これによって容器本体10内部で混合された第1、2内容物がシリンダー71内部に流入される。
【０１００】
この時、前記容器本体10内部で混合された第1と2の内容物は吸入空間流入口14を通じて吸入空間92に流入された後、上部分離キャップ22の第1連結管222と下部固定キャップ24の第2連結管242により形成された吸入通路28を経てシリンダー71内部に流入される。
【０１０１】
以上、本発明で説明したことは生産性と密閉力が向上された異種内容物混合容器を実施するための一つの実施例に過ぎなく、本発明は前記実施例に限定されない。
【０１０２】
添付された請求範囲で請求するように本発明の要旨を逸脱しない範囲内で、本発明が属する分野においての通常の知識を有する者ならば、誰でも多様な変更実施が可能な範囲まで本発明の範囲に属すると見なすべきである。
【符号の説明】
【０１０３】
10:容器本体              12:貫通ホール
14:吸入空間流入口        20:第1内容物受容体
22:上部分離キャップ      24:下部固定キャップ
26:密閉リング            28:内容物吸入通路
30:ショルダー            32:垂直案内溝
40:昇降案内部材          42:螺旋溝
50:昇降部材              52:昇降突起
54:第１係止突輪          60:ポンプハウジング
62:密閉部材              64:第２係止突輪
66:第３係止突輪          70:排出ポンプ
80:押しボタン            82:吐出口
90:下部キャップ          92:吸入空間
222:第1連結管            226:第４係止突輪
242:第2連結管
【図１】
0006329305.tif 000002
【図２】
0006329305.tif 000003
【図３】
0006329305.tif 000004
【図４】
0006329305.tif 000005
【図５】
0006329305.tif 000006
【図６】
0006329305.tif 000007
【図７】
0006329305.tif 000008
【図８】
0006329305.tif 000009